(57)【特許請求の範囲】
【請求項１】
建物の外壁面に沿って配置される環状のフランジを有するガラリ本体と、前記フランジの前面から前方に向けて延出し、該フランジの開口周りで周方向に間隔をあけて配置された複数の延出支持体と、該複数の延出支持体に支持され、フランジに前面に対して間隔をあけて対向するカバーとを備えた既設のカバー付ガラリに対し、通気性の有るシート状のフィルターをフランジの前面に重ね合わせた状態で固定するためのフィルター固定具であって、各延出支持体の配置に対応する複数の切り込みが外周から内側に向けて延びるように形成され、且つ各切り込みに対して対応する延出支持体が嵌め込まれてフランジの前面に重ね合わされたフィルターとカバーとの間に介装可能に構成されるとともに、フィルターとカバーとの間に介装された状態で該フィルター及びカバーに対して圧接可能に構成された二つ以上の介装体と、該二つ以上の介装体のそれぞれを所定の間隔をあけた状態で連結するとともに、少なくとも介装体がフィルター及びカバーに対して圧接する方向と交差する方向に変形可能に構成された連結体とを備えていることを特徴とするカバー付ガラリ用のフィルター固定具。
【請求項２】
前記二つ以上の介装体のそれぞれは、弾性変形可能な線材で環状に形成され、該環状の外径がフィルターとカバーとの間隔よりも大きく設定されている請求項１記載のカバー付ガラリ用のフィルター固定具。
【請求項３】
前記二つ以上の介装体は、複数の延出支持体の外側に配置した状態で、複数の延出支持体周りで等間隔又は略等間隔になるように配置されている請求項１又は２に記載のカバー付ガラリ用のフィルター固定具。
【請求項４】
前記連結体は、介装体のフィルターに対する当接位置同士を連結した弾性を有する第一線材と、介装体のカバーに対する当接位置同士を連結した弾性を有する第二線材とで構成されている請求項１乃至３の何れか１項に記載のカバー付ガラリ用のフィルター固定具。
【発明の詳細な説明】
【技術分野】
【０００１】
本発明は、既設のガラリに対してフィルターを固定するためのフィルター固定具に関し、より詳しくは、既設のカバー付ガラリに対してフィルターを交換可能に固定するためのカバー付ガラリ用のフィルター固定具に関する。
【背景技術】
【０００２】
一般的に、建物の壁に対して換気穴を設ける場合、壁の外側にガラリが取り付けられる。かかるガラリは、換気穴に嵌入される筒状の嵌入部、及び該嵌入部の一端部から径方向外方に延出したフランジを有するガラリ本体を備えており、嵌入部を外側から換気穴に嵌入することで、フランジが壁の外面に沿った状態で建物の壁に固定できるようになっている。そして、この種のガラリは、複数の羽根板を有するルーバーがフランジの開口を覆うように設けられており、換気穴を目隠ししつつ羽根板間の空間（隙間）で空気の流通を確保できるようになっている。
【０００３】
ところで、上記構成のガラリは、ルーバー（複数の羽根板）で換気穴を覆い隠すことができるものの、羽根板同士の間隔が害虫や埃の通過を許容してしまう広い間隔に設定されているため、害虫や埃等が外部から室内に進入してしまうとして、既設のガラリに対して通気性を確保しつつ害虫や埃の通過を阻止できるフィルターを取り付けるためのフィルター固定具が提供されている。
【０００４】
かかるフィルター固定具は、建物の壁面（外面）とガラリのフランジとの間に介装入可能に形成されたベースプレートと、空気流通用の穴が形成されるとともに、該穴に対向するようにフィルターが取り付けられるカバーとを備え、カバーをベースに取り付けることで、カバーがフランジ全体を覆い、該カバーに取り付けられたフィルターがルーバーに対向した状態になるように構成されている（例えば、特許文献１参照）。
【０００５】
このように、上記構成のフィルター固定具は、フィルターをルーバーと対向させた状態で取り付けることができるため、既設のガラリ（ルーバー）を介して害虫や埃が室内に進入するのを阻止できるようになっている。
【０００６】
ところで、ガラリには、図２に示す如く、換気穴Ｈに嵌入される筒状の嵌入部５０ａ及び該嵌入部５０ａの一端部から径方向外方に延出したフランジ５０ｂを有するガラリ本体５０と、ガラリ本体５０のフランジ５０ｂの前面から前方に向けて延出し、該フランジ５０ｂの開口周りに間隔をあけて配置された複数の延出支持体５１…と、該複数の延出支持体５１…に支持され、フランジ５０ｂに前面に対して間隔をあけて対向するカバー５２とを備えたカバー付ガラリ５がある。かかるカバー付ガラリ５は、フランジ５０ｂの前方にカバー５２を配置することで通気を確保しつつ換気穴Ｈを覆い隠すようになっている。
【先行技術文献】
【特許文献】
【０００７】
【特許文献１】特開２００５−８３７１０号公報
【発明の概要】
【発明が解決しようとする課題】
【０００８】
しかしながら、カバー付ガラリ５についても、上記ガラリと同様、害虫や埃等が外部から室内に進入してしまうといった問題があり、この種のカバー付ガラリ５に対してフィルターを取り付けるためのフィルター固定具が要求されている。すなわち、上記構成のフィルター固定具は、カバー５２でフランジ５０ｂ全体を直接覆うようになっているため、フランジ５０ｂの前面から延出する複数の延出支持体５１…や、該延出支持体５１…に支持されたカバー５２を備えたカバー付ガラリ５に対して取り付けることができないとして、カバー付ガラリ５を対象としたフィルター固定具が要求されている。
【０００９】
そこで、本発明は、斯かる実情に鑑み、フィルターを交換可能にしつつも長期に亘って確実に固定することのできるカバー付ガラリ用のフィルター固定具を提供することを課題とする。
【課題を解決するための手段】
【００１０】
本発明に係るカバー付ガラリ用のフィルター固定具は、建物の外壁面に沿って配置される環状のフランジを有するガラリ本体と、前記フランジの前面から前方に向けて延出し、該フランジの開口周りで周方向に間隔をあけて配置された複数の延出支持体と、該複数の延出支持体に支持され、フランジに前面に対して間隔をあけて対向するカバーとを備えた既設のカバー付ガラリに対し、通気性の有るシート状のフィルターをフランジの前面に重ね合わせた状態で固定するためのフィルター固定具であって、各延出支持体の配置に対応する複数の切り込みが外周から内側に向けて延びるように形成され、且つ各切り込みに対して対応する延出支持体が嵌め込まれてフランジの前面に重ね合わされたフィルターとカバーとの間に介装可能に構成されるとともに、フィルターとカバーとの間に介装された状態で該フィルター及びカバーに対して圧接可能に構成された二つ以上の介装体と、該二つ以上の介装体のそれぞれを所定の間隔をあけた状態で連結するとともに、少なくとも介装体がフィルター及びカバーに対して圧接する方向と交差する方向に変形可能に構成された連結体とを備えていることを特徴とする。
【００１１】
上記構成のカバー付ガラリ用のフィルター固定具は、連結体を変形させつつ各介装体をフィルターとカバーとの間に介装することで、複数の延出支持体の一部又は全部を取り囲むように配置できる。すなわち、上記構成のカバー付ガラリ用のフィルター固定具は、二つ以上の介装体を複数の延出支持体よりも外側で周方向に間隔をあけた状態で配置することができる。
【００１２】
そして、各介装体は、フィルターとカバーとの間に介装された状態で該フィルター及びカバーに対して圧接可能に構成されているため、上述の如くフィルターとカバーとの間に介装された状態でフィルターをガラリ本体のフランジ側に押圧することになる。これにより、カバー付ガラリ用のフィルター固定具は、フィルターを延出支持体よりも外側の二箇所以上でフランジ側に押さえて固定することができる。
【００１３】
そして、カバー付ガラリ用のフィルター固定具は、各介装体をフィルターとカバーとの間から取り出しつつ連結体を元の態様に復元させることで、全体をカバー付ガラリから取り外すことができ、フィルターの固定を解除することができる。なお、シート状のフィルターは、変形自在であるため、各切り込みに対して対応する延出支持体が嵌め込まれてフランジの前面に重ね合わされたフィルターを取り外す場合には、複数の延出支持体の何れかの間にあるフィルターの一部を外側に引っ張ればフィルターを引き出すことができ、各延出支持体の配置に対応する複数の切り込みが外周から内側に向けて延びるように形成されたフィルターをフランジの前面に重ね合わせる場合には、延出支持体間から複数の延出支持体が取り囲む領域にフィルターを押し込んだ上で各切り込みに対応する延出支持体を嵌め込むことでフィルターをフランジの前面に重ね合わせることができる。
【００１４】
本発明の一態様として、前記二つ以上の介装体のそれぞれは、弾性変形可能な線材で環状に形成され、該環状の外径がフィルターとカバーとの間隔よりも大きく設定されていることが好ましい。このようにすれば、介装体をフィルターとカバーとの間に介装すると、介装体全体が径方向に弾性変形した状態で該介装体の直径方向の相反する二箇所がフランジ上のフィルターとカバーとに圧接する。具体的に説明すると、介装体の外径がフィルターとカバーとの間隔よりも大きく設定されているため、フィルターとカバーとの間に介装体を介装するに当たり、該介装体を径方向に圧縮して弾性変形（扁平状に変形）させる必要がある。そして、弾性変形させた介装体をフィルムとカバーとの間に介装した状態で該介装体に対する径方向の圧縮を解除すると、介装体の自己の復元力（フィルターとカバーとの間隔よりも大きな外径の環状に戻ろうとする力）が作用する。これにより、介装体の直径方向の相反する二箇所がフランジ上のフィルターとカバーとに圧接してフィルターをフランジ側に押圧することになる。これにより、フランジ上のフィルターをカバー付ガラリに対して確実に固定することができる。
【００１５】
本発明の他態様として、前記二つ以上の介装体は、複数の延出支持体の外側に配置した状態で、複数の延出支持体周りで等間隔又は略等間隔になるように配置されていることが好ましい。このようにすれば、フィルターに対する押圧位置が複数の延出支持体の周りで等間隔又は略等間隔になり、フィルターをバランス良く固定することができる。
【００１６】
本発明の別の態様として、前記連結体は、介装体のフィルターに対する当接位置同士を連結した弾性を有する第一線材と、介装体のカバーに対する当接位置同士を連結した弾性を有する第二線材とで構成されていることが好ましい。このようにすれば、複数の延出支持体を取り囲むようにフィルター固定具を配置したときに、介装体に加えて第一線材及び第二線材がフィルター及びカバーに圧接することになる。従って、フランジ上のフィルターの外周側の全周が押圧されるため、フィルターをより確実に固定することができる。
【発明の効果】
【００１７】
以上のように、本発明のカバー付ガラリ用のフィルター固定具によれば、フィルターを交換可能にしつつも長期に亘って確実に固定することができるという優れた効果を奏し得る。
【図面の簡単な説明】
【００１８】
【図１】本発明の一実施形態に係るカバー付ガラリ用のフィルター固定具を用いてフィルターが取り付けられるカバー付ガラリの説明図であって、（ａ）は、全体斜視図を示し、（ｂ）は、カバーを取り外した状態の分解斜視図を示す。
【図２】図１に示すカバー付ガラリを建物の壁に取り付けた状態の断面図を示す。
【図３】同実施形態に係るカバー付ガラリ用のフィルター固定具でカバー付ガラリに固定されるフィルターの正面図を示す。
【図４】同実施形態に係るカバー付ガラリ用のフィルター固定具の正面図を示す。
【図５】同実施形態に係るカバー付ガラリ用のフィルター固定具の部分拡大図であって、（ａ）は、端部に設けられた介装体を含む部分拡大図を示し、（ｂ）は、途中位置にある介装体を含む部分拡大図を示す。
【図６】同実施形態に係るカバー付ガラリ用のフィルター固定具のカバーを仮想線（二点差線）で示した斜視図であって、（ａ）は、フランジ上にフィルターを配置した状態の斜視図を示し、（ｂ）は、複数の延出支持体周りにカバー付ガラリ用のフィルター固定具を配置した状態の斜視図を示す。
【図７】同実施形態に係るカバー付ガラリ用のフィルター固定具を用い、建物の壁に取り付けられたカバー付ガラリに対してフィルターを取り付けた状態の断面図を示す。
【図８】本発明の他実施形態に係るカバー付ガラリ用のフィルター固定具の部分拡大図であって、（ａ）は、介装体がフィルター及びカバーに対して圧接する方向で湾曲した態様に形成されたフィルター固定具の部分拡大図を示し、（ｂ）は、介装体がフィルター及びカバーに対して圧接する方向で屈曲した態様に形成されたフィルター固定具の部分拡大図を示す。
【図９】本発明の別の実施形態に係るカバー付ガラリ用のフィルター固定具の介装体を含む部分拡大断面図であって、（ａ）は、連結体が介装体のフィルター圧接部同士及びカバー圧接部同士を連結したフィルター固定具の部分断面図を示し、（ｂ）は、連結体が介装体の途中位置（本体部）同士を連結したフィルター固定具の部分断面図を示す。
【発明を実施するための形態】
【００１９】
以下、本発明の一実施形態に係るカバー付ガラリ用のフィルター固定具（以下、単にフィルター固定具という）について、添付図面を参照しつつ説明する。
【００２０】
フィルター固定具の説明に先立ち、該フィルター固定具を用いてフィルターが固定されるカバー付ガラリ（以下、単にガラリという）及びフィルターについて概略説明すると、かかるガラリ５は、図１（ａ）、図１（ｂ）、及び図２に示す如く、建物の壁Ｗを貫通させた換気穴Ｈ（図２参照）に嵌入される筒状の嵌入部５０ａ、及び該嵌入部５０ａの径方向外方に延出するように該嵌入部５０ａの一端部に連設された鍔状のフランジ５０ｂを有するガラリ本体５０と、前記フランジ５０ｂの前面から前方に向けて延出し、該フランジ５０ｂの開口周りで周方向に間隔をあけて配置された複数の延出支持体５１…と、該複数の延出支持体５１…に支持され、フランジ５０ｂに前面に対して間隔をあけて対向するカバー５２とを備えている。そして、本実施形態に係るガラリ５（ガラリ本体５０）は、フランジ５０ｂの開口を覆うように設けられた通気可能なルーバー５０ｃを備えている。
【００２１】
前記嵌入部５０ａは、換気穴Ｈの形状に応じて角筒状又は円筒状に形成される。本実施形態において、前記嵌入部５０ａは、円筒状に形成されており、外周面には、換気穴Ｈの内周面に圧接可能な抜止部材（図示しない）が周方向に間隔をあけて複数取り付けられている。
【００２２】
前記ルーバー５０ｃは、図１（ｂ）及び図２に示す如く、複数の羽根板５００…を備えている。複数の羽根板５００…は、一方向に間隔をあけて配置されたり、格子状に配置されたりするのが一般的である。図１（ｂ）及び図２に示すルーバー５０ｃは、円環状のフランジ５０ｂが画定する開口を覆うことのできるサイズの金属プレートをプレス加工（打ち抜き加工）することで、複数の羽根板５００…のそれぞれが一方向（建物の壁Ｗに固定された状態で水平方向になる方向）に延びるように形成されている。
【００２３】
そして、ガラリ５（ガラリ本体５０）は、上述の如く、フランジ５０ｂに対してルーバー５０ｃが取り付けられるため、フランジ５０ｂの前面の開口周縁部にルーバー５０ｃを嵌着するための凹部５０１が形成されている。すなわち、フランジ５０ｂの前面には、開口と同心をなす環状の凹部５０１が形成されている。該ガラリ５は、フランジ５０ｂの前面にルーバー５０ｃが嵌め込まれた状態で、ルーバー５０ｃの外周回りに段差５０２が形成されている。なお、この種のガラリ５には、ルーバー５０ｃがフランジ５０ｂに対して溶接されたものがあるが、ここで説明するガラリ５は、延出支持体５１…がガラリ本体５０に対してネジ固定されており、これに併せてルーバー５０ｃがフランジ５０ｂに固定されている。
【００２４】
複数の延出支持体５１…のそれぞれは、外観棒状に形成されている。そして、各延出支持体５１…は、一端部がフランジ５０ｂに固定されており、フランジ５０ｂの前面に対して略直角に延びるように設けられている。各延出支持体５１…は、フランジ５０ｂに対して溶接することで固定してもよいが、本実施形態に係る延出支持体５１…は、図２に示す如く、両端部に雌ネジ５１０ａ，５１０ｂの形成された筒体で構成されており、フランジ５０ｂの開口回りに設定された規定円（図示しない）上に穿設された貫通穴（採番しない）に対してフランジ５０ｂの後面（壁Ｗの外面と対向する面）側から挿通されたネジ部材５１１ａが一端部の雌ネジ５１０ａに螺合されることでフランジ５０ｂに固定されている。従って、複数の延出支持体５１…は、フランジ５０ｂの開口回りに設定された前記規定円上で周方向に間隔をあけて配置されている。
【００２５】
本実施形態においては、上述の如く、延出支持体５１…をフランジ５０ｂに固定するのに併せてルーバー５０ｃをフランジ５０ｂに固定するようになっているため、フランジ５０ｂの貫通穴（規定円）は、該フランジ５０ｂの前面に設けられた凹部５０１の奥まった位置にある前方に向く面（一段下がった面）上に設けられ、ルーバー５０ｃの外周にもフランジ５０ｂの貫通穴に対応する貫通穴（採番しない）が設けられている。そして、各延出支持体５１…は、フランジ５０ｂ及びルーバー５０ｃに穿設された貫通穴に挿通したネジ部材５１１ａを一端部の雌ネジ５１０ａに螺合することで、フランジ５０ｂに固定され、フランジ５０ｂの凹部５０１に嵌め込まれたルーバー５０ｃは、ネジ部材５１１ａの頭部と延出支持体５１…とに挟まれてフランジ５０ｂに固定されている。これにより、前記ガラリ５は、複数の延出支持体５１…回りにルーバー５０ｃを嵌め込む凹部５０１の外周からなる段差５０２が形成されている。
【００２６】
前記カバー５２は、図１（ｂ）及び図２に示す如く、板材で構成されており、フランジ５０ｂの外径よりも大きな外径に設定されている。そして、カバー５２は、外周端部が一方の面側（フランジ５０ｂ側）に曲げられている。
【００２７】
前記カバー５２は、延出支持体５１…の他端部に溶接してもよいが、本実施形態においては、延出支持体５１…に対してネジ固定されている。すなわち、本実施形態に係るカバー５２は、フランジ５０ｂの規定円と対応する第二の規定円（図示しない）上に複数の貫通穴５２０…が穿設されており、該カバー５２の外面側から前記貫通穴５２０…に挿通したネジ部材５１１ｂを延出支持体５１…の他端部に設けられた雌ネジ５１０ｂに螺合することで、延出支持体５１…の他端部に固定されている。これにより、カバー５２は、フランジ５０ｂの前面に対して間隔をあけた状態で延出支持体５１…によって支持されている。
【００２８】
上記構成のガラリ５は、図２に示す如く、フランジ５０ｂが壁Ｗの外面に対向するように嵌入部５０ａを換気穴Ｈに嵌入することで建物の壁Ｗに固定され、ルーバー５０ｃの羽根板５００…間の隙間で室内と屋外との間における通気を確保するとともに、ルーバー５０ｃの羽根板５００…によって室内からの空気がカバー５２の開口に向かって流れる（或いは、外部からの空気が羽根板５００…に案内されて嵌入部５０ａ内に流れる）ようになっている。
【００２９】
前記フィルターは、図３に示す如く、所定の厚みに設定された通気性のあるシート材（例えば、不織布等）で構成され、厚み方向で弾性変形可能になっている。かかるフィルターＦは、フランジ５０ｂの前面の全域又は略全域を覆うことができるように、形状及びサイズがフランジ５０ｂの外形及びサイズに対応して形成される。そして、フィルターＦは、各延出支持体５１…の配置に対応した位置に複数の切り込みＣ…が外周から内側に向けて延びるように形成されている。すなわち、フィルターＦは、外周から内側に向けて延びる切り込みＣ…が、延出支持体５１…の配置に合わせて放射状に設けられている。かかるフィルターＦは、各切り込みＣ…に対して対応する延出支持体５１…が嵌め込まれてフランジ５０ｂの前面に重ね合わされるようになっている（図６（ａ）参照）。
【００３０】
本実施形態に係るフィルター固定具は、上述の如く、ガラリ５がガラリ本体５０（フランジ５０ｂ）の前面から延出する複数の延出支持体５１…を備えるとともにフランジ５０ｂの前方にカバー５２を備えることを前提としたもので、図４、図５（ａ）及び図５（ｂ）に示す如く、各切り込みＣ…に対して対応する延出支持体５１…が嵌め込まれてフランジ５０ｂの前面に重ね合わされたフィルターＦとカバー５２との間に介装可能に構成されるとともに、フィルターＦとカバー５２との間に介装された状態で該フィルターＦ及びカバー５２に対して圧接可能に構成された二つ以上の介装体１０…と、該二つ以上の介装体１０…のそれぞれを所定の間隔をあけた状態で連結するとともに、少なくとも介装体１０がフィルターＦ及びカバー５２に対して圧接する方向と交差する方向に変形可能に構成された連結体１１とを備えている。
【００３１】
本実施形態において、各介装体１０は、弾性変形可能な線材で環状に形成されている。本実施形態に係る介装体１０は、ステンレス鋼やバネ鋼等からなる線材やピアノ線（硬鋼線）等の線材で構成されており、所定長さの線材を環状に曲げ、該線材の両端部同士を連結することで形成されている。介装体１０を構成する線材の両端部同士の連結には、塑性変形可能な金属材料を筒状に形成した圧着体１２が用いられる。すなわち、線材の両端部同士の連結は、圧着体１２内に環状に曲げた線材の両端部を挿入した上で、該圧着体１２をカシメ処理することで行われている。
【００３２】
これにより、各介装体１０は、径方向に弾性変形可能になっている。すなわち、各介装体１０は、常態において円環状又は略円環状を呈しているが、径方向に圧縮力を作用させたときに楕円環状に変形するようになっている。
【００３３】
そして、各介装体１０は、外径がフィルターＦとカバー５２との間隔よりも大きく設定されている。これにより、各介装体１０は、フランジ５０ｂの前面上に配置されたフィルターＦとカバー５２との間に介装したときに径方向の相反する位置にある二カ所のうち、一方がフィルターＦに圧接するとともに他方がカバー５２の内面に圧接するようになっている。すなわち、各介装体１０は、径方向の相反する位置にある二カ所のうちの一カ所がフィルターＦに圧接するフィルター圧接部ＦＰとなり、前記二カ所のうちの残りの一カ所がカバー５２の内面に圧接するカバー圧接部ＣＰとなっている。
【００３４】
二つ以上の介装体１０は、連結体１１を湾曲させて複数の延出支持体５１…の外側に配置した状態で、複数の延出支持体５１…周りで等間隔又は略等間隔になるように配置されている。本実施形態に係るフィルター固定具１は、介装体１０を五つ備えており、該五つの介装体１０…は、所定間隔をあけて一列に配置されている。そして、該フィルター固定具１は、複数の延出支持体５１…の外側に配置した状態（複数の延出支持体５１…を包囲した状態）で両端の介装体１０が略重なり合った状態になり、この重なり合った二つの介装体１０と残りの三つの介装体１０とが等間隔又は略等間隔で配置されるようになっている（図６（ｂ）参照）。
【００３５】
本実施形態に係る連結体１１は、介装体１０のフィルターＦに対する当接位置（フィルター圧接部ＦＰ）同士を連結した弾性変形可能な第一線材１１ａと、介装体１０のカバー５２に対する当接位置（カバー圧接部ＣＰ）同士を連結した弾性変形可能な第二線材１１ｂとで構成されている。前記第一線材１１ａ及び第二線材１１ｂは、介装体１０と同様に、ステンレス鋼やバネ鋼等からなる線材やピアノ線（硬鋼線）等で構成されている。
【００３６】
そして、介装体１０と連結体１１との連結には、塑性変形可能な金属材料を筒状に形成した圧着体１２が用いられる。すなわち、介装体１０を構成する線材及び連結体１１を構成する線材を圧着体１２に挿通した上で、該圧着体１２をカシメ処理することで介装体１０及び連結体１１が連結されている。
【００３７】
本実施形態において、線材で介装体１０を形成するにあたり、一本の線材の両端部同士を圧着体１２で連結するようにしているため、図５（ａ）及び図５（ｂ）に示す如く、介装体１０を構成する線材に挿通した圧着体１２を該線材の途中位置に配置するとともに、該圧着体１２に対して第一線材１１ａ又は第二線材１１ｂの何れか一方（本実施形態においては第一線材１１ａ）を挿通した上で圧着体１２をカシメ処理するようにしている。また、介装体１０を構成する線材の両端部を挿入した圧着体１２に対して第一線材１１ａ又は第二線材１１ｂの何れか他方（本実施形態においては第二線材１１ｂ）を挿通した上で圧着体１２をカシメ処理するようにしている。
【００３８】
これにより、各介装体１０に対して連結体１１が連結されている。すなわち、本実施形態に係るフィルター固定具１は、各介装体１０に対して二つの圧着体１２，１２を用いて第一線材１１ａ及び第二線材１１ｂが連結されている。なお、言うまでもないが、介装体１０を複数の延出支持体５１…回りで等間隔又は略等間隔の配置にするために、各介装体１０（線材）を連結体１１（第一線材１１ａ及び第二線材１１ｂ）に連結する圧着体１２は、連結体１１（第一線材１１ａ、第二線材１１ｂ）上で等間隔又は略等間隔に配置される。そして、一列に並ぶ五つの介装体１０のうち、両端にある介装体１０は、図５（ａ）に示す如く、連結体１１（第一線材１１ａ、第二線材１１ｂ）の端部が挿入された圧着体１２によって該連結体１１に連結されている。
【００３９】
本実施形態に係るフィルター固定具１は、上述の如く、二つの圧着体１２を用いることで、介装体１０のフィルター圧接部ＦＰに第一線材１１ａを連結するとともに、介装体１０のカバー圧接部ＣＰに第二線材１１ｂを連結するようにしているため、一方の圧着体１２がフィルターＦに圧接するとともに他方の圧着体１２がカバー５２に圧接することになる。従って、本実施形態のように介装体１０を構成する線材及び連結体１１を構成する線材の外側を覆う筒状の圧着体１２を用いて介装体１０のフィルター圧接部ＦＰ同士を連結体１１（第一線材１１ａ）で連結するとともに、カバー圧接部ＣＰ同士を連結体１１（第二線材１１ｂ）で連結する場合、一方の圧着体１２が介装体１０のフィルター圧接部ＦＰ又は該フィルター圧接部ＦＰの一部として機能し、他方の圧着体１２が介装体１０のカバー圧接部ＣＰ又は該カバー圧接部ＣＰの一部として機能する。
【００４０】
本実施形態に係るフィルター固定具１は、以上の通りであり、次に、ガラリ５に対してフィルターＦを着脱する（交換する）作業手順について説明する。
【００４１】
ガラリ５に対してフィルターＦを取り付けるには、図６（ａ）に示す如く、既設のガラリ５のフランジ５０ｂ前面にフィルターＦを重ね合わせる。このとき、フィルターＦを適宜折り畳んだ状態にして延出支持体５１…間からルーバー５０ｃの配置された領域（複数の延出支持体５１…に取り囲まれた領域）内に押し込んだ後、該フィルターＦを広げて各切り込みＣ…に対応する延出支持体５１…を嵌め込む。これにより、フィルターＦは、延出支持体５１…と干渉してフランジ５０ｂ上で大きく起伏することなく、フランジ５０ｂの前面の全て又は略全てに重なった状態で配置される。すなわち、フィルターＦは、外周が複数の延出支持体５１…よりも外側に位置するように配置される。
【００４２】
そして、図６（ｂ）に示す如く、フィルター固定具１をガラリ５に装着する。具体的には、連結体１１を変形させつつ各介装体１０をフィルターＦとカバー５２との間に介装し、複数の延出支持体５１…の全部を取り囲むようにフィルター固定具１を配置する。本実施形態に係るフィルター固定具１は、介装体１０が弾性変形可能な線材で環状に形成され、該介装体１０の外径がフィルターＦとカバー５２との間隔よりも大きく設定されているため、上述の如く、各介装体１０をフィルターＦとカバー５２との間に介装する際、フィルター圧接部ＦＰとカバー圧接部ＣＰとを接近させるように各介装体１０を径方向に圧縮して扁平環状（楕円形状）にした上でフィルターＦとカバー５２との間に介装する。
【００４３】
このように各介装体１０を扁平環状にすることで、各介装体１０をフィルターＦやカバー５２に干渉させずに該フィルターＦとカバー５２との間に介装できる。また、本実施形態に係るフィルター固定具１は、各介装体１０のフィルター圧接部ＦＰ同士を第一線材１１ａで連結するとともに、各介装体１０のカバー圧接部ＣＰ同士を第二線材１１ｂで連結しているため、上述の如く、各介装体１０を扁平環状になるように圧縮することで、第一線材１１ａと第二線材１１ｂとの間隔が狭まることになり、連結体１１（第一線材１１ａ及び第二線材１１ｂ）をフィルターＦやカバー５２に干渉させずに該フィルターＦとカバー５２との間に介装できる。
【００４４】
そして、フィルターＦとカバー５２との間に介装された介装体１０に対する圧縮を解除すると、介装体１０は、自己の復元力によって元に形状（フィルターＦとカバー５２との間隔よりも大径の円環状）に戻ろうとする結果、図６（ｂ）及び図７に示す如く、フィルターＦとカバー５２とに当接することになる。すなわち、各介装体１０は、カバー圧接部ＣＰがカバー５２に圧接するとともにフィルター圧接部ＦＰがフィルターＦに圧接して該フィルターＦをフランジ５０ｂ側に押圧することになる。
【００４５】
本実施形態に係るフィルター固定具１は、厚み方向に弾性変形可能なフィルターＦを対象としているため、図７に示す如く、介装体１０の一部（フィルター圧接部ＦＰ）がフィルターＦに食い込んだ状態で該フィルターＦをフランジ５０ｂ側に押圧することになる。従って、二つ以上（本実施形態においては五つ）の介装体１０がフィルターＦの外周を周方向に間隔をあけて押さえることになり、フィルターＦが確実に固定されることになる。
【００４６】
特に、本実施形態に係るフィルター固定具１は、複数の延出支持体５１…の外側に配置した状態で、各介装体１０が複数の延出支持体５１…周りで等間隔又は略等間隔になるように配置されているため、フィルターＦに対する押圧位置が複数の延出支持体５１…（規定円）周りで等間隔になる。これにより、該フィルター固定具１は、フィルターＦをバランス良く固定することができる。
【００４７】
また、本実施形態に係るフィルター固定具１の連結体１１は、介装体１０のフィルターＦに対する当接位置（フィルター圧接部ＦＰ）同士を連結した弾性を有する第一線材１１ａと、介装体１０のカバー５２に対する当接位置（カバー圧接部ＣＰ）同士を連結した弾性を有する第二線材１１ｂとで構成されているため、上述の如く、複数の延出支持体５１…を包囲するように配置したときに、介装体１０に加えて第一線材１１ａ及び第二線材１１ｂがフィルターＦ及びカバー５２に圧接することになる。従って、フランジ５０ｂ上のフィルターＦの外周の全周又は略全周が押圧され、介装体１０のみでフィルターを押さえた場合よりもさらにフィルターＦの固定が確実となる。
【００４８】
なお、本実施形態に係るフィルター固定具１は、複数の延出支持体５１…を取り囲むように配置すれば、上述の如く、フィルターの外周をフランジ５０ｂ側に押さえ付けて固定できるが、上述の如く、フランジ５０ｂの前面に複数の延出支持体５１…を包囲する段差５０２が形成される場合には、介装体１０（フィルター圧接部ＦＰ及び第一線材１１ａ）を段差５０２に落とし込むようにすることで、ガラリ５からの脱落を確実に防止することができる。
【００４９】
そして、ガラリ５に取り付けられたフィルターＦを取り外す場合には、上記作業と逆の手順で作業を行うことで、フィルター固定具１を取り外すことができる。すなわち、各介装体１０をフィルターＦとカバー５２との間から取り出しつつ連結体１１を元の態様に復元させることで、フィルター固定具１全体をガラリ５から取り外すことができる。これにより、フィルターＦの固定を解除することができ、複数の延出支持体５１…の何れかの間にあるフィルターＦの一部を外側に引っ張ることでフィルターＦを引き出して取り外すことができる。
【００５０】
以上のように、本実施形態に係るフィルター固定具１は、ガラリ５に対してフィルターＦを交換可能にしつつも長期に亘って確実に固定することができるという優れた効果を奏し得る。
【００５１】
なお、本発明は、上記実施形態に限定されるものではなく、本発明の要旨を逸脱しない範囲で種々の変更を加え得ることは勿論のことである。
【００５２】
上記実施形態において、フィルター固定具１を用いてフィルターを取り付ける対象として、フランジ５０ｂの前面にルーバー５０ｃを嵌め込むための凹部５０１の形成されたガラリ５を一例に説明したが、これに限定されるものではなく、例えば、フランジ５０ｂの開口内にルーバー５０ｃを嵌着したものであってもよい。すなわち、ガラリ５は、フランジ５０ｂの前面全体が平坦に形成されたものであってもよい。
【００５３】
従って、フィルター固定具１は、ガラリ５のフランジ５０ｂの前面に形成される段差５０２に対してフィルター圧接部ＦＰ及び第一線材１１ａを落とし込んだ態様で取り付けるものに限定されるものではく、例えば、介装体１０（フィルター圧接部ＦＰ）でフランジ５０ｂの平坦な前面にフィルターＦを押さえ付けるようにしてもよい。
【００５４】
また、上記実施形態において、フィルター固定具１を用いてフィルターＦを取り付ける対象として、外周が曲げられたカバー５２を備えたガラリ５を一例に説明したが、これに限定されるものではなく、例えば、カバー５２が平板で構成されたものであってもよい。
【００５５】
上記実施形態において、ルーバー５０ｃを備えたガラリ５を対象に説明したが、これに限定されるものではなく、例えば、ルーバー５０ｃを備えることなくフランジ５０ｂの開口が開放したものも本発明に係るカバー付ガラリ用のフィルター固定具の対象である。
【００５６】
上記実施形態において、嵌入部５０ａ及びフランジ５０ｂを有するガラリ本体５０を備えたガラリ５を対象にしたが、これに限定されるものではなく、例えば、フランジ５０ｂを建物の壁Ｗにネジ固定するようにしたもの、すなわち、ガラリ本体５０が嵌入部５０ａを備えることなくフランジ５０ｂのみで構成されたものであってもよい。
【００５７】
上記実施形態において、介装体１０を連結する連結体１１として第一線材１１ａ及び第二線材１１ｂで構成したが、これに限定されるものではなく、例えば、連結体１１を一方向に長手をなす一本の線材や一枚の帯板で構成してもよい。但し、連結体１１を帯板で構成する場合、介装体１０のフィルターＦ及びカバー５２に対して圧接する方向と交差する方向に変形可能となるように帯板を配置することは言うまでもない。すなわち、フィルター固定具１で複数の延出支持体５１…の一部又は全体を取り囲むに際して変形できるように帯板を配置することは勿論のことである。
【００５８】
また、連結体１１を一方向に長手をなす一本の線材や一枚の帯板で構成する場合、介装体１０のフィルターＦとの当接位置（フィルター圧接部ＦＰ）同士やカバー５２との当接位置（カバー圧接部ＣＰ）同士を連結する必要はなく、介装体１０におけるフィルター圧接部ＦＰとカバー圧接部ＣＰとの間同士を連結するようにしてもよい。
【００５９】
上記実施形態において、二つ以上の介装体１０及び連結体１１（フィルター固定具１全体）で複数の延出支持体５１…全体を取り囲めるようにしたが、これに限定されるものではなく、例えば、複数の延出支持体５１…の一部、好ましくは、複数の延出支持体５１…の半分以上を取り囲めるようにしてもよい。このようにしても、介装体１０が二つ以上設けられるため、複数箇所でフィルターＦを押さえることができ、フィルターＦを確実に固定することができる。
【００６０】
上記実施形態において、複数の延出支持体５１…の全体を取り囲んだ状態で、両端にある介装体１０同士が重なる又は略重なるように介装体１０を配置したが、これに限定されるものではなく、例えば、複数の延出支持体５１…の全体を取り囲んだ状態で、両端の介装体１０同士がずれた配置になるよう介装体１０を配置してもよい。従って、両端の介装体１０同士の間隔は、複数の延出支持体５１…の回りの周長よりも狭く設定してもよいし、前記周長よりも広く設定してもよい。
【００６１】
上記実施形態において、複数の延出支持体５１…の全体を取り囲んだ状態で、各介装体１０が等間隔になるように介装体１０を配置したが、これに限定されるものではなく、各介装体１０の間隔は不等間隔であってもよい。但し、フィルターＦを安定して固定するには、介装体１０（フィルターに対する圧接位置）を等間隔に設定することが好ましいことは言うまでもない。
【００６２】
上記実施形態において、介装体１０を五つ設けたが、これに限定されるものではなく、介装体１０は、二つ以上設けられればよい。このように、介装体１０を二つ以上設けることで、フィルターＦに対する圧接位置が介装体１０の数に応じて二カ所以上になるため、フィルターＦをフランジ５０ｂの前面に重ねた状態で固定することができる。
【００６３】
上記実施形態において、各介装体１０を弾性変形可能な線材で環状に形成するようにしたが、これに限定されるものではなく、例えば、図８（ａ）に示す如く、線材をＵ字状に湾曲させたもので介装体１０を構成したり、図８（ｂ）に示す如く、線材をくの字状に屈曲させたもので介装体１０を構成したりしてもよい。このようにしても、線材の両端同士を接近させるように介装体１０に圧縮作用を生じさせると、自己の復元力が両端同士を離間させるように作用する。従って、屈曲又は湾曲させた線材の一端部をフィルター圧接部とする一方、該線材の他端部をカバー圧接部ＣＰとすることで、フィルターＦをフランジ５０ｂの前面に向けて押さえ付けることができる。
【００６４】
また、介装体１０は、線材を曲げ加工したものに限定されるものではなく、例えば、介装体１０は、図９（ａ）及び図９（ｂ）に示す如く、筒状の本体部１００と、該本体部１００の両端から延出するよう該本体部１００の両端に挿入された一対のスライド部材１０１，１０２と、本体部１００内に介装され、一対のスライド部材１０１，１０２を相反する方向に付勢する付勢手段（例えば、コイルバネ）１０３とを備え、該付勢手段１０３による付勢で、本体部１００から延出した一方のスライド部材１０１の先端がフィルター圧接部ＦＰとしてフィルターＦに圧接し、本体部１００から延出した他方のスライド部材１０２の先端がカバー圧接部ＣＰとしてカバー５２に圧接するようにしてもよい。
【００６５】
すなわち、介装体１０は、フランジ５０ｂとカバー５２との間に介装可能とされた上で、フィルターＦに圧接させるためのフィルター圧接部ＦＰとカバー５２に圧接させるためのカバー圧接部ＣＰとを備え、フィルター圧接部ＦＰとカバー圧接部ＣＰとが互いに反対方向に付勢されるものや、定位置にあるカバー圧接部ＣＰからフィルター圧接部ＦＰが離間する方向に付勢されるものであればよい。この場合、連結体は、図９（ａ）に示す如く、フィルター圧接部ＦＰ同士を連結する第一線材１１ａとカバー圧接部ＣＰ同士を連結する第二線材１１ｂとで構成してもよいし、図９（ｂ）に示す如く、介装体１０の一部（例えば、本体部１００同士）を連結してもよい。
【符号の説明】
【００６６】
１…フィルター固定具、５…ガラリ（カバー付ガラリ）、１０…介装体、１１…連結体、１１ａ…第一線材、１１ｂ…第二線材、１２…圧着体、５０…ガラリ本体、５０ａ…嵌入部、５０ｂ…フランジ、５０ｃ…ルーバー、５１…延出支持体、５２…カバー、１００…本体部、１０１，１０２…スライド部材、１０３…付勢手段、５００…羽根板、５０１…凹部、５０２…段差、５１０ａ，５１０ｂ…雌ネジ、５１１ａ，５１１ｂ…ネジ部材、５２０…貫通穴、Ｆ…フィルター、Ｃ…切り欠き、ＣＰ…カバー圧接部、ＦＰ…フィルター圧接部、Ｈ…換気穴、Ｗ…壁
【図１】
0005439300.tif 000002
【図２】
0005439300.tif 000003
【図３】
0005439300.tif 000004
【図４】
0005439300.tif 000005
【図５】
0005439300.tif 000006
【図６】
0005439300.tif 000007
【図７】
0005439300.tif 000008
【図８】
0005439300.tif 000009
【図９】
0005439300.tif 000010